(57)【特許請求の範囲】
【請求項１】
合成樹脂製の本体２と、該本体に着脱可能に嵌着するとともに、柔軟で弾力性に富む材質であるシリコンゴム又はブチルゴムより形成してなる補助部材３とからなり、上記本体２は、有底の蛇腹筒５上端開口縁部より外方へフランジ状底壁６を延設するとともに、該底壁周縁部より上方へフード筒７を立設してなる本体形成筒部9aと、本体形成筒部上端縁より上方へ延設した切除筒部9bとからなるブロー成形品９を、切除筒部9bを切断除去することにより形成した本体であり、上記補助部材３は、蛇腹筒５の上端開口縁部に周縁部を密嵌した噴出孔13付きの底板14を有するとともに、底板14周縁部より上方へ延設した連結板15を介してフード筒７上端部に被覆嵌着した環状のカバー枠16を延設してなる補助部材であることを特徴とする洗眼器。
【発明の詳細な説明】
【０００１】
【発明の属する技術分野】
本発明は洗眼器に関する。
【０００２】
【従来の技術】
洗眼器として、特開平9-225003号に、排水タンクと収納部とにより構成される容器と、該容器内に収納された洗浄液ボトルとにより構成され、排水タンクの中央部に形成されたシャワー部に導水管が接続され、収納部にはモーター部とモーター部により作動する送風ポンプとが配設され、送風ポンプには送風管が接続され、導水管と送風管とはその先端部付近で容器の内壁に固着されている保持片により保持され、さらに保持片には外部より導入される洗浄液ボトルの先端が着脱自在に取付けられ、洗浄ボトル内部に延長する送風管の先端開口部は保持片の保持部近くに、また導水管の先端開口部は洗浄ボトルの底部近くに位置せしめてなる携帯可能な洗眼器が示されている。
【０００３】
このような洗眼器は、洗浄液噴出手段としてモーター部、送風ポンプ、送風管等を使用しているため、コスト高であり、かつ重量も重く、構造も複雑なものとなっていた。
【０００４】
このような欠点を解消すべく、本出願は特願平10-230122 号の洗眼器を提案している。この洗眼器は、弾性蛇腹状筒部を有する加圧筒部上に支持筒を介して大外径の液体収納筒を起立し、支持筒上端面を通水孔付きの底板で閉塞したものである。
【０００５】
【発明が解決しようとする課題】
この洗眼器は構造が簡単で、重量も軽く取り扱いの便利な優れたものではあるが、その構造上ポリプロピレンやポリエチレン等の一般的な合成樹脂により一般的な成形方法では形成が困難で、例えば、ゴム等の柔軟な材料を用いて射出成形により形成することは可能である。しかしながら、ゴム等の柔軟な材料を洗眼器に使用する場合には、直接的或いは間接的に接触する眼球や皮膚に悪影響を及ぼすものもあるため、使用できる柔軟な材料に制限があり、しかもそれらはシリコンゴムやブチルゴム等の一般に高価なものとなる。
【０００６】
本発明は上記した点に鑑みなされたもので、高価な材料は部分的に必要最小限に止めて、主要部分を合成樹脂により形成することができて全体的なコストダウンを図れ、また、軽量で、構造も簡単な洗眼器を提案する。また、顔に当たる部分を柔軟で弾力性のある部材により形成することにより、噴出液が溢れたり，洩れたりすることがなく、洗浄も容易に行える洗眼器を提案するものである。
【０００７】
【課題を解決するための手段】
第１の手段として、以下の通り構成した。即ち、合成樹脂製の本体２と、該本体に着脱可能に嵌着するとともに、柔軟で弾力性に富む材質であるシリコンゴム又はブチルゴムより形成してなる補助部材３とからなり、上記本体２は、有底の蛇腹筒５上端開口縁部より外方へフランジ状底壁６を延設するとともに、該底壁周縁部より上方へフード筒７を立設してなる本体形成筒部9aと、本体形成筒部上端縁より上方へ延設した切除筒部9bとからなるブロー成形品９を、切除筒部9bを切断除去することにより形成した本体であり、上記補助部材３は、蛇腹筒５の上端開口縁部に周縁部を密嵌した噴出孔13付きの底板14を有するとともに、底板14周縁部より上方へ延設した連結板15を介してフード筒７上端部に被覆嵌着した環状のカバー枠16を延設してなる補助部材であることを特徴とする洗眼器として構成した。
【０００８】
【発明の実施の形態】
以下、本発明の実施の形態を図面を参照して説明する。
【０００９】
図面に示す如く、本発明の洗眼器１は、本体２と、補助部材３とを備えている。
【００１０】
本体２は合成樹脂により形成されたもので、底板４を備えた蛇腹筒５上端開口縁部より外方へフランジ状底壁６を延設するとともに、該底壁６周縁部より上方へフード筒７を立設して構成している。図示例では、蛇腹筒５の上端開口縁部は短い支持筒８を備えており、蛇腹筒５の上端縁より上方へ支持筒８を立設するとともに、支持筒８の上端縁より外方へフランジ状底壁６を延設している。また、フード筒７は、上方へ行くに従って広がる如く構成し、上端部は垂直部7aに形成している。
【００１１】
上記の如き本体２は、本体形成筒部と切除筒部とを備えるブロー成形品を、切除筒部を切断除去することにより形成することができる。本体形成筒部は上記した如き本体形状のものであり、また切除筒部は、フード筒上端縁より上方へ延設した上下端開口の筒状をなすものである。この様なブロー成形品は公知のブロー成形方法により形成することができる。
【００１２】
図３は、図１或いは図２に於ける本体２を形成するためのブロー成形品９を示し、該成形品は、有底の蛇腹筒５上端縁より蛇腹筒上端開口縁部を構成する支持筒８を立設するとともに、該支持筒上端縁より外方へフランジ状底壁６を延設し、且つ、底壁６周縁部より上方へフード筒７を立設してなる本体形成筒部9a有し、また、フード筒７上端部の垂直部7a上端縁より上方へ短筒部10を延設するとともに、短筒部10上端縁より内方へ傾斜壁部11を延設し、更に、傾斜壁部11の内周縁より上方へ口頸部12を立設した切除筒部9bを設けている。そして、フード筒７上端の垂直部7aと、切除筒部9bの短筒部10との間を適宜方法により切断し、切除筒部9bを除去して本体２を得ることができる。尚、図示例の両者の切断面は前後に於いて若干の凹みを設けている。
【００１３】
補助部材３は、それに接触した洗浄液が眼球や皮膚に接触しても、或いは眼球や皮膚等に直接接触しても悪影響を及ぼすことのない柔軟で弾力性に富む材質により形成したもので、具体的に例を挙げればシリコンゴムやブチルゴム等を使用できるが、当然これらに限らない。補助部材３は蛇腹筒５の上端開口縁部に周縁部を密嵌した噴出孔13付きの底板14を有するとともに、底板14周縁部より上方へ延設した連結板15を介してフード筒７上端部に被覆嵌着した環状カバー枠16を延設して着脱可能に本体２に嵌着している。
【００１４】
図示例では、蛇腹筒５上端開口縁部である支持筒８上端開口を底板14で被覆し、底板14下面周縁部より垂設したシール筒17を支持筒８内周に密嵌させている。また、連結板15は、底板14の周縁部より周方向間隔をあけて複数延設したもので、各々上端部をカバー枠16下端縁に連結している。カバー枠16は、フード筒17の上端部である垂直部7aの内面から上面を介して外面にいたる部分を被覆して嵌着している。
【００１５】
上記の如く構成した洗眼器１を使用する場合に付いて説明する。蛇腹筒５内に液を注入した後補助部材３を嵌着し、次いで、カバー枠16の部分を眼球周囲の顔面に当接した後蛇腹筒５を押し込めば、噴出孔13よりシャワー状に液が噴出して洗眼する。洗眼後はフード筒７内の液を廃棄し、必要があれば補助部材３を外して洗浄することができる。
【００１６】
【発明の効果】
以上説明した如く本請求項１発明の洗眼器は、既述構成としたことにより、簡単な操作で洗眼を行うことができ、また、高価な材料は部分的に必要最小限に止めて、主要部分を合成樹脂により形成することができて全体的なコストダウンを図れる。また、軽量で、構造も簡単で容易に製造できる利点も兼ね備える。
【００１７】
また、顔に当たる部分を柔軟で弾力性のある部材により形成することにより、噴出液が溢れたり，洩れたりすることがなく、しかも補助部材を本体から簡単に取り外すことができるため洗浄も容易に行えるものである。
【図面の簡単な説明】
【図１】本発明の一実施形態を示す半断面図である。
【図２】同実施形態に於ける本体の斜視図である。
【図３】同実施形態の補助部材の斜視図である。
【図４】同実施形態に於けるブロー成形品の一例を示す半断面図である。
【符号の説明】
２…本体，３…補助部材，５…蛇腹筒，６…底壁，７…フード筒，
９…ブロー成形品，9a…本体形成筒，9b…切除筒部，13…噴出孔，14…底板，
15…連結板，16…カバー枠
【図１】
0004201109.tif 000002
【図２】
0004201109.tif 000003
【図３】
0004201109.tif 000004
【図４】
0004201109.tif 000005